(57)【要約】【課題】  ユーザが対象物を筐体の外部の所定の位置から移動しても、開口部の周縁部と蓋体との位置関係が変化せず、デザイン性及び安全性に優れた収納装置を提供する。【解決手段】  一実施形態に係る収納装置は、対象物と、前記対象物が通過可能な開口部を有し、前記対象物を内部に収納する筐体と、前記開口部に向かって移動可能に前記筐体の内部に設けられ、前記対象物を支持する支持体と、前記支持体に固定された基部と、前記対象物が前記筐体の外部の所定の範囲に位置する間、前記開口部の周縁部の内側に当接して前記開口部を閉塞する蓋部と、前記基部に対して前記蓋部を移動可能に支持する弾性部と、を備える蓋体と、を備える。【選択図】  図２
2018199462.tif 000002
【特許請求の範囲】
【請求項１】
対象物と、
前記対象物が通過可能な開口部を有し、前記対象物を内部に収納する筐体と、
前記開口部に向かって移動可能に前記筐体の内部に設けられ、前記対象物を支持する支持体と、
前記支持体に固定された基部と、前記対象物が前記筐体の外部の所定の範囲に位置する間、前記開口部の周縁部の内側に当接して前記開口部を閉塞する蓋部と、前記基部に対して前記蓋部を移動可能に支持する弾性部と、を備える蓋体と、
を備える収納装置。
【請求項２】
前記支持体を駆動し、前記開口部を介して前記対象物を前記筐体の内部と外部との間で移動させる駆動部を更に備える
請求項１に記載の収納装置。
【請求項３】
前記蓋部は、前記弾性部により前記基部に対して浮動状態で支持される
請求項１又は請求項２に記載の収納装置。
【発明の詳細な説明】
【技術分野】
【０００１】
本発明は、収納装置に関する。
【背景技術】
【０００２】
従来、筐体の内部に対象物を収納可能な収納装置の一例として、特許文献１に開示されているような、筐体（コンソールボックス２）の内部にディスプレイを収納可能な表示装置が知られている。ユーザは、筐体の内部に収納されたディスプレイを、筐体に設けられた開口部を介して筐体の外部の所定の位置に移動させることにより、当該ディスプレイを利用できる。開口部は、ディスプレイが筐体の外部の所定の位置に位置する間、ディスプレイを支持する支持体（ブラケット４０）に固定された蓋体（第１のケース６０）により閉塞される。
【先行技術文献】
【特許文献】
【０００３】
【特許文献１】特開２００８−０５５９２６号公報
【発明の概要】
【発明が解決しようとする課題】
【０００４】
しかしながら、従来の表示装置では、蓋体が支持体に固定されていたため、視野調整などのために、ユーザがディスプレイを所定の位置から移動させると、ディスプレイと共に蓋体が移動し、開口部の周縁部と蓋体との段差が変化し、デザイン上好ましくないという問題があった。また、指等の挟みこみの可能性もあり、安全上も好ましくないという問題があった。
【０００５】
本発明は、上記の課題に鑑みてなされたものであり、ユーザが対象物を筐体の外部の所定の位置から移動しても、開口部の周縁部と蓋体との位置関係が変化せず、デザイン性及び安全性に優れた収納装置を提供することを目的とする。
【課題を解決するための手段】
【０００６】
一実施形態に係る収納装置は、対象物と、前記対象物が通過可能な開口部を有し、前記対象物を内部に収納する筐体と、前記開口部に向かって移動可能に前記筐体の内部に設けられ、前記対象物を支持する支持体と、前記支持体に固定された基部と、前記対象物が前記筐体の外部の所定の範囲に位置する間、前記開口部の周縁部の内側に当接して前記開口部を閉塞する蓋部と、前記基部に対して前記蓋部を移動可能に支持する弾性部と、を備える蓋体と、を備える。
【発明の効果】
【０００７】
本発明の各実施形態によれば、ユーザが対象物を筐体の外部の所定の位置から移動しても、開口部の周縁部と蓋体との位置関係が変化せず、デザイン性及び安全性に優れた収納装置を提供できる。
【図面の簡単な説明】
【０００８】
【図１】第１実施形態に係る表示装置の一例を示す側面図。
【図２】第１実施形態に係る表示装置の一例を示す側面図。
【図３】第２実施形態に係る表示装置の一例を示す側面図。
【図４】第２実施形態に係る表示装置の一例を示す側面図。
【発明を実施するための形態】
【０００９】
以下、本発明の各実施形態について、添付の図面を参照しながら説明する。なお、各実施形態に係る明細書及び図面の記載に関して、実質的に同一の機能構成を有する構成要素については、同一の符号を付することにより重畳した説明を省略する。
【００１０】
＜第１実施形態＞
第１実施形態に係る収納装置について、図１及び図２を参照して説明する。本実施形態に係る収納装置は、筐体の内部に対象物を収納可能な収納装置である。ユーザは、筐体の外部の所定の位置に対象物を移動させることにより、当該対象物を利用する。収納装置は、対象物としてディスプレイを備える表示装置や、対象物としてスピーカを備える音響装置などであるが、これに限られない。以下、本実施形態に係る収納装置について、車載用の表示装置１００を例に説明する。
【００１１】
まず、表示装置１００の構成について説明する。図１及び図２は、インストルメントパネル２００に搭載された表示装置１００の一例を示す側面図である。図１は、ディスプレイ１が筐体２の内部に収納された表示装置１００を示す。図２は、ディスプレイ１が筐体２の外部の所定の位置（以下「基準位置」という。）に位置した表示装置１００を示す。図１及び図２の例では、筐体２の側面が省略されている。図１及び図２の表示装置１００は、ディスプレイ１と、筐体２と、アーム３Ａ，３Ｂと、駆動部４と、蓋体５と、蓋６と、を備える。
【００１２】
ディスプレイ１は、対象物の一例であり、筐体２の内部に収納される。ディスプレイ１は、液晶ディスプレイや有機ＥＬ（Electro Luminescence）ディスプレイなどであるが、これに限られない。図１に示すように、ディスプレイ１は、ユーザが利用しない場合、筐体２の内部に収納される。一方、図２に示すように、ディスプレイ１は、ユーザが利用する場合、基準位置に移動される。
【００１３】
筐体２は、表示装置１００の外装であり、その内部にディスプレイ１を収納する。筐体２は、ディスプレイ１が通過可能な開口部２１を有する。ディスプレイ１は、開口部２１を介して、筐体２の内部と外部との間を移動する。筐体２は、開口部２１がインストルメントパネル２００の表面に露出するように配置される。
【００１４】
アーム３Ａ，３Ｂは、支持体の一例であり、ディスプレイ１を支持する板状部材であり、筐体２の内部で開口部２１に向かって移動可能に配置される。アーム３Ａは、一端がディスプレイ１の上端に回動可能に接続され、他端が駆動部４の後述するギア４１に回動可能に接続される。アーム３Ｂは、一端がディスプレイ１の背面に固定され、他端が駆動部４のギア４１に固定される。本明細書において回動とは、所定の角度範囲で回転することをいう。
【００１５】
駆動部４は、アーム３Ａ，３Ｂを駆動し、開口部２１を介して、ディスプレイ１を筐体２の外部と内部との間で移動させる。駆動部４は、アーム３Ａ，３Ｂの他端が接続されたギア４１と、ギア４１を回動させるモータ（図示省略）と、を備える。また、駆動部４は、モータの回転角度やギア４１の回動角度を検出するセンサや、当該センサからの情報に基づいて、モータを駆動する制御回路を備えてもよい。制御回路は、例えば、ＥＣＵ（Electronic Control Unit）であるが、これに限られない。
【００１６】
蓋体５は、ディスプレイ１が筐体２の外部の所定の範囲（以下「基準範囲」という。）に位置する間、開口部２１を閉塞する蓋体である。基準範囲は、基準位置を含む所定の範囲である。蓋体５は、基部５１と、蓋部５２と、弾性部５３と、を備える。
【００１７】
基部５１は、アーム３Ａに固定された板状部材である。基部５１は、アーム３Ａと一体に形成されてもよいし、別部材としてアーム３Ａに取り付けられてもよい。
【００１８】
蓋部５２は、ディスプレイ１が基準範囲に位置する間、開口部２１を閉塞する板状部材である。蓋部５２は、基部５１とは異なり、アーム３Ａには固定されない。
【００１９】
弾性部５３は、基部５１に対して蓋部５２を支持する弾性部材である。弾性部５３は、基部５１と蓋部５２との間に配置され、一端が基部５１に固定され、他端が蓋部５２に固定される。すなわち、蓋部５２は、図１に示すように、弾性部５３により、基部５１に対して浮動状態で支持される。弾性部５３は、ディスプレイ１が基準範囲に位置する間、蓋部５２が開口部２１の周縁部に対して押圧されるように、蓋部５２を支持する。弾性部５３は、例えば、コイルバネであるが、これに限られない。また、図１及び図２の例では、蓋体５は、弾性部５３を１つ備えるが、複数備えてもよい。
【００２０】
蓋６は、ディスプレイ１が筐体２の内部に収納されている間、開口部２１を閉塞する板状部材である。図示省略されているが、蓋６は、駆動部４により駆動される。駆動部４が、ディスプレイ１を筐体２の外部に移動させるためにアーム３Ａ，３Ｂを駆動すると、当該駆動に伴って、図２に示すように、蓋６は、開口部２１を閉塞する位置から移動する。これにより、ディスプレイ１が開口部２１を通過可能となる。一方、駆動部４が、ディスプレイ１を筐体２の内部に移動させるためにアーム３Ａ，３Ｂを駆動すると、当該駆動に伴って、図１に示すように、蓋６は、開口部２１を閉塞する位置に移動する。
【００２１】
次に、表示装置１００の動作について説明する。表示装置１００のユーザがディスプレイ１を利用しない場合、図１に示すように、ディスプレイ１は筐体２の内部に収納され、開口部２１は蓋６により閉塞される。
【００２２】
ユーザは、ディスプレイ１を利用する場合、インストルメントパネル２００に設けられたボタンなどを操作して、制御回路にディスプレイ１の移動を要求する。制御回路は、ディスプレイ１の移動を要求されると、駆動部４によりアーム３Ａ，３Ｂを駆動する。
【００２３】
具体的には、制御回路は、モータを回転させ、ギア４１を所定の角度だけ回動させる。ギア４１が回動すると、ギア４１に固定されたアーム３Ｂが、ディスプレイ１を支持した状態で所定の角度だけ回動する。ギア４１及びディスプレイ１の回動に伴って、アーム３Ａも所定の角度だけ回動する。また、ギア４１の回動に伴って、蓋６が開口部２１から移動し、ディスプレイ１が開口部２１を通過可能となる。
【００２４】
これにより、図２に示すように、ディスプレイ１が開口部２１を介して基準位置に移動する。ディスプレイ１が基準位置に位置すると、蓋部５２が、弾性部５３により開口部２１の周縁部に対して押圧された状態で、開口部２１を閉塞する。
【００２５】
ここで、ユーザが視野調整などのために、ディスプレイ１を基準位置から移動させた場合について考える。例えば、ディスプレイ１が、図２に示す基準位置から所定距離だけ下方に移動された場合、アーム３Ａは、前方（図２の左方）に移動し、基部５１が所定距離に応じた距離だけ開口部２１に接近する。これにより、蓋部５２は、弾性部５３により開口部２１の周縁部の内側に当接して強く押圧されるものの、その位置は変わらない。したがって、ディスプレイ１が基準位置から所定距離だけ下方に移動されても、開口部２１と蓋部５２との間に隙間は生じない。
【００２６】
これに対して、ディスプレイ１が、図２に示す基準位置から所定距離だけ上方に移動された場合、アーム３Ａは、後方（図２の右方）に移動し、基部５１が所定距離に応じた距離だけ開口部２１から離間する。これにより、蓋部５２は、弾性部５３による開口部２１の周縁部に対する押圧が弱まるものの、その位置は変わらない。したがって、ディスプレイ１が基準位置から所定距離だけ上方に移動されても、開口部２１と蓋部５２との間に隙間は生じない。
【００２７】
以上まとめると、本実施形態によれば、ディスプレイ１が基準位置から下方及び上方に所定距離だけ移動された場合、すなわち、ディスプレイ１が基準範囲に位置する場合、開口部２１と蓋部５２との間に隙間は生じない。これにより、当該隙間に起因する、筐体２の内部への異物の混入や、インストルメントパネル２００の美観の低下を抑制できる。また、開口部２１の周縁部と蓋体５との位置関係が変化しないため、インストルメントパネル２００のデザイン性及び安全性を向上させることができる。
【００２８】
また、本実施形態に係る蓋体５は、部品点数が少なく、かつ、駆動部４により駆動（開閉）されるため、安価に製造できる。
【００２９】
また、本実施形態によれば、ディスプレイ１が基準範囲に位置する場合、開口部２１と蓋部５２との間に隙間が生じないため、ディスプレイ１を基準位置へ移動させる制御に要求される精度を低下させることができる。したがって、駆動部４を安価に製造できる。
【００３０】
また、本実施形態によれば、蓋部５２が浮動状態で支持されるため、ディスプレイ１が基準位置に移動する際の、開口部２１の周縁部と蓋部５２との衝突音を低減できる。
【００３１】
＜第２実施形態＞
第２実施形態に係る収納装置について、図３及び図４を参照して説明する。本実施形態では、収納装置の一例として、第１実施形態に係る表示装置１００の変形例について説明する。本実施形態に係る表示装置１００は、車両を含む任意の装置に搭載可能である。
【００３２】
まず、表示装置１００の構成について説明する。図３及び図４は、表示装置１００の一例を示す側面図である。図３は、ディスプレイ１が筐体２の内部に収納された表示装置１００を示す。図４は、ディスプレイ１が基準位置に位置した表示装置１００を示す。図３及び図４の例では、筐体２の側面が省略されている。図３及び図４の表示装置１００は、ディスプレイ１と、筐体２と、アーム３と、駆動部４と、蓋体５と、を備える。
【００３３】
ディスプレイ１は、対象物の一例であり、筐体２の内部に収納される。ディスプレイ１は、液晶ディスプレイや有機ＥＬディスプレイなどであるが、これに限られない。図３に示すように、ディスプレイ１は、ユーザが利用しない場合、筐体２の内部に収納される。一方、図４に示すように、ディスプレイ１は、ユーザが利用する場合、基準位置に移動される。本実施形態では、図３に示すように、ディスプレイ１が筐体２の内部に収納されている間、ディスプレイ１の上面が筐体２の開口部２１を閉塞する。
【００３４】
筐体２は、表示装置１００の外装であり、その内部にディスプレイ１を収納する。筐体２は、ディスプレイ１が通過可能な開口部２１を有する。ディスプレイ１は、開口部２１を介して、筐体２の内部と外部との間を移動する。
【００３５】
アーム３は、支持体の一例であり、ディスプレイ１を支持する棒状部材であり、筐体２の内部に配置される。アーム３は、一端がディスプレイ１の下端に固定される。図３及び図４の例では、アーム３の他端は、筐体２の外部に突出しているが、筐体２の外部に突出していなくてもよい。
【００３６】
駆動部４は、アーム３を駆動し、開口部２１を介して、ディスプレイ１を筐体２の外部と内部との間で移動させる。図示省略されているが、駆動部４は、ギア、モータ、制御回路などを含む。なお、図３及び図４の例のように、アーム３の他端が筐体２の外部に突出している場合、駆動部４を筐体２の外部に設け、アーム３を筐体２の外部から駆動してもよい。
【００３７】
蓋体５は、ディスプレイ１が筐体２の基準範囲に位置する間、開口部２１を閉塞する蓋体である。蓋体５は、基部５１と、蓋部５２と、弾性部５３と、を備える。
【００３８】
基部５１は、アーム３に固定された板状部材である。基部５１は、アーム３と一体に形成されてもよいし、別部材としてアーム３に取り付けられてもよい。
【００３９】
蓋部５２は、ディスプレイ１が基準範囲に位置する間、開口部２１を閉塞する板状部材である。蓋部５２は、基部５１とは異なり、アーム３Ａには固定されない。蓋部５２は、嵌合部５２１と、接触部５２２と、を備える。嵌合部５２１は、ディスプレイ１が基準範囲に位置する間、筐体２の開口部２１と嵌合する部分であり、開口部２１の周縁部と同一の厚さを有する。接触部５２２は、ディスプレイ１が基準範囲に位置する間、開口部２１の周縁部と接触する部分であり、開口部２１より広く形成される。このような構成により、本実施形態では、ディスプレイ１が基準範囲に位置する間、筐体２の上面が平坦となる。
【００４０】
弾性部５３は、基部５１に対して蓋部５２を支持する弾性部材である。弾性部５３は、基部５１と蓋部５２との間に配置され、一端が基部５１に固定され、他端が蓋部５２に固定される。すなわち、蓋部５２は、図３に示すように、弾性部５３により、基部５１に対して浮動状態で支持される。弾性部５３は、ディスプレイ１が基準範囲に位置する間、蓋部５２の接触部５２２が開口部２１の周縁部に対して押圧されるように、蓋部５２を支持する。弾性部５３は、例えば、コイルバネであるが、これに限られない。また、図３及び図４の例では、蓋体５は、弾性部５３を２つ備えるが、３つ以上備えてもよい。
【００４１】
次に、表示装置１００の動作について説明する。表示装置１００のユーザがディスプレイ１を利用しない場合、図３に示すように、ディスプレイ１は筐体２の内部に収納され、開口部２１はディスプレイ１の上面により閉塞される。
【００４２】
ユーザは、ディスプレイ１を利用する場合、表示装置１００に接続されたボタンなどを操作して、制御回路にディスプレイ１の移動を要求する。制御回路は、ディスプレイ１の移動を要求されると、駆動部４によりアーム３を駆動する。
【００４３】
具体的には、制御回路は、モータを回転させ、アーム３を所定の距離だけ上昇させる。これにより、図４に示すように、ディスプレイ１が開口部２１を介して基準位置に移動する。ディスプレイ１が基準位置に位置すると、接触部５２２が開口部２１の周縁部に接触した状態で、嵌合部５２１が開口部２１に嵌合し、開口部２１を閉塞する。
【００４４】
ここで、ユーザが視野調整などのために、ディスプレイ１を基準位置から移動させた場合について考える。例えば、ディスプレイ１が、図４に示す基準位置から所定距離だけ上方に移動された場合、アーム３は、上方に移動し、基部５１が所定距離だけ開口部２１に接近する。これにより、蓋部５２は、弾性部５３により開口部２１の周縁部に対して強く押圧されるものの、その位置は変わらない。したがって、ディスプレイ１が基準位置から所定距離だけ上方に移動されても、開口部２１と蓋部５２との間に隙間は生じない。
【００４５】
これに対して、ディスプレイ１が、図４に示す基準位置から所定距離だけ下方に移動された場合、アーム３は、下方に移動し、基部５１が所定距離に応じた距離だけ開口部２１から離間する。これにより、蓋部５２は、弾性部５３による開口部２１の周縁部に対する押圧が弱まるものの、その位置は変わらない。したがって、ディスプレイ１が基準位置から所定距離だけ下方に移動されても、開口部２１と蓋部５２との間に隙間は生じない。
【００４６】
以上まとめると、本実施形態によれば、ディスプレイ１が基準位置から上方及び下方に所定距離だけ移動された場合、すなわち、ディスプレイ１が基準範囲に位置する場合、開口部２１と蓋部５２との間に隙間は生じない。これにより、当該隙間に起因する、筐体２の内部への異物の混入や、表示装置１００の美観の低下を抑制できる。また、開口部２１の周縁部と蓋体５との位置関係が変化しないため、インストルメントパネル２００のデザイン性及び安全性を向上させることができる。
【００４７】
また、本実施形態に係る蓋体５は、部品点数が少なく、かつ、駆動部４により駆動（開閉）されるため、安価に製造できる。
【００４８】
また、本実施形態によれば、ディスプレイ１が基準範囲に位置する場合、開口部２１と蓋部５２との間に隙間が生じないため、ディスプレイ１を基準位置へ移動させる制御に要求される精度を低下させることができる。したがって、駆動部４を安価に製造できる。
【００４９】
また、本実施形態によれば、蓋部５２が浮動状態で支持されるため、ディスプレイ１が基準位置に移動する際の、開口部２１の周縁部と接触部５２２との衝突音を低減できる。
【００５０】
なお、上記実施形態に挙げた構成等に、その他の要素との組み合わせなど、ここで示した構成に本発明が限定されるものではない。これらの点に関しては、本発明の趣旨を逸脱しない範囲で変更可能であり、その応用形態に応じて適切に定めることができる。
【符号の説明】
【００５１】
１： ディスプレイ（対象物）
２：筐体
３，３Ａ，３Ｂ：アーム（支持体）
４：駆動部
５：蓋体
６：蓋
２１：開口部
４１：ギア
５１：基部
５２：蓋部
５３：弾性部
１００：表示装置（収納装置）
２００：インストルメントパネル
５２１：嵌合部
５２２：接触部
【図１】
2018199462.tif 000003
【図２】
2018199462.tif 000004
【図３】
2018199462.tif 000005
【図４】
2018199462.tif 000006